(57)【要約】【構成】コンクリート床面に滑り止めシートを密着し、この滑り止めシートに所要数の複合床板材を着脱可能に載置した建造物の床構造である。【効果】コンクリート床面に複合床板材を密着した状態で配置できるとともにコンクリート床面から取り外して屋外等で直射日光や外気に当てることができる。よって、コンクリート床面に設置された複合床板材を充分に乾燥させることができるとともに湿気に基づく病原菌等を除去しやすいため、健康に適した床構造を提供することかできる。複合床板材は上層部の下面に下層部が密着されたものであり、この上層部を合成樹脂系板材から構成するとともに下層部を発泡ポリウレタンチップと消臭繊維との混合物の成形品にすれば、施工に便利であると共にコンクリート床面になじみ易く、密着性も良好でかつ温度・湿度の変化及びペットの尿などの臭いも吸収できる。【選択図】　　図２
2004116000.tif 000002
【特許請求の範囲】
【請求項１】
コンクリート床面に滑り止めシートを密着し、この滑り止めシートに所要数の複合床板材を着脱可能に載置したことを特徴とする建築物の床構造。
【請求項２】
請求項１の建築物の床構造において、前記複合床板材は上層部の下面に下層部が密着されたものであり、この上層部は合成樹脂系板材からなるとともに前記下層部は発泡ポリウレタンチップと消臭繊維との混合物の成形品であることを特徴とする建築物の床構造。
【請求項３】
請求項２の建築物の床構造において、前記発泡ポリウレタンチップと消臭繊維との結合剤としてポリウレタン系樹脂を使用したことを特徴とする建築物の床構造。
【請求項４】
請求項２又は請求項３の建築物の床構造において、前記合成樹脂系板材がホモジニアス系ビニル床タイルからなることを特徴とする建築物の床構造。
【請求項５】
上層部の下面に下層部が密着された複合床板材において、前記上層部は合成樹脂系板材からなるとともに前記下層部は発泡ポリウレタンチップと消臭繊維との混合物の成形品であることを特徴とする建築物の複合床板材。
【請求項６】
請求項２の建築物の複合床板材において、前記発泡ポリウレタンチップと消臭繊維との結合剤としてポリウレタン系樹脂を使用したことを特徴とする建築物の複合床板材。
【請求項７】
請求項５又は請求項６の建築物の床構造において、前記合成樹脂系板材がホモジニアス系ビニル床タイルからなることを特徴とする建築物の複合床板材。
【発明の詳細な説明】
【０００１】
【発明の属する技術分野】
この発明は建築物の床構造およびこの床構造に使用する複合床板材に関し、コンクリート建築物の床構造として使用される。
【０００２】
【従来の技術】
【特許文献１】実開昭６１−８３７３６号公報
【特許文献２】特開平０９−７２０７６号公報
【特許文献３】特開２００２−１３２８３号公報
従来におけるこの種の床構造は、コンクリート床面に接着剤を塗布し、複合床板（例えば、木質材料の上層部にポリウレタン系チップの成形品からなる下層部を接着したもの）を直接を貼り付けて行くのが通常であった。そして、複合床板が気候の変化やペットの尿等によって湿気た場合には、窓を掛けて風通しをよくしたり、乾燥タオル等によって床タイルを拭くことによってこの湿気を除去していた。
【０００３】
【発明が解決しようとする課題】
しかしながら、従来における床構造は、床タイルが室内に設置されていたため、直射日光に当てにくく、この結果、充分に乾燥させにくいとともに湿気に基づく病原菌等の除去がしにくいという不都合を有した。
【０００４】
この発明の課題はかかる不都合を解消することである。
【０００５】
【課題を解決するための手段】
上記課題を解消するために、この発明に係る建築物の床構造においては、コンクリート床面に滑り止めシートを密着し、この滑り止めシートに所要数の複合床板材を着脱可能に載置したため、コンクリート床面に複合床板材を密着した状態で配置できるとともにコンクリート床面から取り外して屋外等で直射日光や外気に当てることができるものである。
【０００６】
なお、前記複合床板材は上層部の下面に下層部が密着されたものであり、この上層部を合成樹脂系板材から構成するとともに前記下層部を発泡ポリウレタンチップと消臭繊維との混合物の成形品にすれば、施工に便利であると共にコンクリート床面になじみ易く、密着性も良好でかつ温度・湿度の変化及びペットの尿などの臭いも吸収できる。
【０００７】
また、前記発泡ポリウレタンチップと消臭繊維との結合剤としてポリウレタン系樹脂を使用すれば、最適弾性に調節できるうえ、強力な接着性を持ち、耐水性、耐薬品性、耐油性に優れるものである。
【０００８】
また、前記合成樹脂系板材をホモジニアス系ビニル床タイルから構成すれば、意匠性に富み、耐磨耗性、耐水性、耐薬品性、耐油性に優れるものである。
【０００９】
また、この発明に係る複合床板材においては、上層部の下面に下層部が密着された複合床板材において、前記上層部は合成樹脂系板材からなるとともに前記下層部は発泡ポリウレタンチップと消臭繊維との混合物の成形品であるため、施工に便利であると共にコンクリート床面になじみ易く、密着性も良好でかつ温度・湿度の変化及びペットの尿などの臭いも吸収できる。
【００１０】
なお、前記複合床板材においても、前記発泡ポリウレタンチップと消臭繊維との結合剤としてポリウレタン系樹脂を使用すれば、最適弾性に調節できるうえ、強力な接着性を持ち、耐水性、耐薬品性、耐油性に優れるものである。
【００１１】
また、前記複合床板材においても、前記合成樹脂系板材をホモジニアス系ビニル床タイルから構成すれば、意匠性に富み、耐磨耗性、耐水性、耐薬品性、耐油性に優れるものである。
【００１２】
【発明の実施の態様】
図１はこの発明に係る複合床板材の斜視図、図２はこの複合床板材を使用した建築物の床構造の断面図である。
【００１３】
図１において、Ｐはこの発明に係る複合床板材であり、その寸法の一例として６０６ｍｍ×９０９ｍｍが挙げられる。この複合床板材Ｐは上層部１０とこの上層部１０に接着された下層部２０とからなる。
【００１４】
前記上層部１０は約２．５ｍｍの厚さであり、複数の合成樹脂系板材１１，１１，…を略隙間無く並設し、その端部を面取り加工したものである。この合成樹脂系板材１１としては、例えば、従来から用いられているホモジニアス系ビニル床タイルが該当する。なお、合成樹脂系板材１１は一枚で上部層１０を構成することもできる。
【００１５】
次に、前記下層部２０は約８ｍｍの厚さであり、軟質の発泡ポリウレタンを破砕したチップと抗菌防臭効果の高い消臭繊維（例えば、アクリレート系繊維，ポリエステル繊維等）をポリウレタン系の結合剤で固めて成型したものである。
下層部２０の製造方法としては、発泡ポリウレタンチップと質量比で５％の消臭繊維を重量比で約１０〜２０％のポリウレタン系の結合剤で撹拌混合し、全体を所望の厚み寸法（８ｍ／ｍ）に圧縮しつつ水蒸気を付加して結合剤を反応硬化させることにより、発泡ウレタンチップともども固結一体化して成型品としての下層部２０が出来上がる。この下層部２０は、比重０．１〜０．５％程度のものが悪臭に協力な働きをし、しかも長期にわたって消臭機能を発揮するため好ましい。又、音の振動の吸収という点からも同様である。
【００１６】
なお、前記上層部１０と前記下層部２０との結合は、接着材としてポリウレタン系樹脂を使用するのがよい。その理由は強力な接着性を有し耐水性に優れているからである。
【００１７】
次に、図２に基づいて、前記複合床板材Ｐの使用状態を説明する。
【００１８】
図２において、Ｃは建築物におけるコンクリート床面、３０はこのコンクリート床面Ｃに密着された状態で接着された滑り止めシートである。この滑り止めシート３０の材質としてはポリエステルフィラメント＋塩化ビニル樹脂が適している。その理由は軽量で耐水性，耐候性に優れているからであり、また、一定の圧力で動かしてもずれず、また容易に上層部の仕上材が取り外せるからである。
【００１９】
この滑り止めシート３０の上面に前記複合床板材Ｐが着脱可能に載置されている。このため、複合床板材Ｐはコンクリート床面Ｃから取り外して屋外等で直射日光や外気に当てることができる。
【００２０】
【発明の効果】
この発明に係る建築物の床構造は、コンクリート床面に滑り止めシートを密着し、この滑り止めシートに所要数の複合床板材を着脱可能に載置したため、コンクリート床面に複合床板材を密着した状態で配置できるとともにコンクリート床面から取り外して屋外等で直射日光や外気に当てることができるものである。
【００２１】
よって、この建築物の床構造を使用すれば、コンクリート床面に設置された複合床板材を充分に乾燥させることができるとともに湿気に基づく病原菌等を除去しやすいため、健康に適した床構造を提供することかできる。
【００２２】
なお、前記複合床板材は上層部の下面に下層部が密着されたものであり、この上層部を合成樹脂系板材から構成するとともに前記下層部を発泡ポリウレタンチップと消臭繊維との混合物の成形品にすれば、施工に便利であると共にコンクリート床面になじみ易く、密着性も良好でかつ温度・湿度の変化及びペットの尿などの臭いも吸収できる。複合床板材を充分に乾燥させることにより消臭繊維の機能の回復を図ることができる。
【００２３】
また、前記発泡ポリウレタンチップと消臭繊維との結合剤としてポリウレタン系樹脂を使用すれば、最適弾性に調節できるうえ、強力な接着性を持ち、耐水性、耐薬品性、耐油性に優れるものである。
【００２４】
また、前記合成樹脂系板材をホモジニアス系ビニル床タイルから構成すれば、意匠性に富み、耐磨耗性、耐水性、耐薬品性、耐油性に優れるものである。
【００２５】
また、この発明に係る複合床板材においては、上層部の下面に下層部が密着された複合床板材において、前記上層部は合成樹脂系板材からなるとともに前記下層部は発泡ポリウレタンチップと消臭繊維との混合物の成形品であるため、施工に便利であると共にコンクリート床面になじみ易く、密着性も良好でかつ温度・湿度の変化及びペットの尿などの臭いも吸収できる。
【００２６】
なお、前記複合床板材においても、前記発泡ポリウレタンチップと消臭繊維との結合剤としてポリウレタン系樹脂を使用すれば、最適弾性に調節できるうえ、強力な接着性を持ち、耐水性、耐薬品性、耐油性に優れるものである。
【００２７】
また、前記複合床板材においても、前記合成樹脂系板材をホモジニアス系ビニル床タイルから構成すれば、意匠性に富み、耐磨耗性、耐水性、耐薬品性、耐油性に優れるものである。
【図面の簡単な説明】
【図１】図１はこの発明に係る複合床板材の斜視図である。
【図２】図２はこの複合床板材を使用した建築物の床構造の断面図である。
【符号の説明】
Ｃ　…　コンクリート床
Ｐ　…　複合床板材
１０　…　上層部
１１　…　合成樹脂系板材
２０　…　下層部
３０　…　滑り止めシート
【図１】
2004116000.tif 000003
【図２】
2004116000.tif 000004